(57)【要約】【課題】アンテナベース１０の取付ネジ１２に爪付きワッシャ１８を介してナット２６を確実に仮止めできるアンテナ取付装置を提供する。【解決手段】取付ネジ１２に下端面よりネジ軸方向にスリット１４を設け、その下端面にスリット１４を塞ぐとともにスリット１４の深さ方向に切り込みを設けて弾性変形し得る係止板３２を配設する。爪付きワッシャ１８に係止板３２を弾性変形させてスリット１４に下方からネジ軸方向に挿入でき挿入された状態では係止板３２により下方への移動が規制される係止用舌片２０を設ける。爪付きワッシャ１８とナット２６をネジ軸回りに相対回転可能でネジ軸方向に分離しないように連結する。係止用舌片２０を係止板３２を弾性変形させて下方からネジ軸方向にスリット１４に挿入することで、取付ネジ１２にナット２６を簡単かつ確実に仮止めでき、その後は、作業者が手を離してもナット２６が下方に脱落しない。【選択図】  図１
2004194000.tif 000002
【特許請求の範囲】
【請求項１】
車体に穿設した取付孔に、アンテナベースから下方に突出する取付ネジを挿通し、下方から前記取付ネジにワッシャを嵌挿するとともにナットを螺合して、前記アンテナベースを前記車体に固定するアンテナ取付装置において、前記取付ネジに下端面よりネジ軸方向にスリットを設け、前記取付ネジの下端面に前記スリットを塞ぐとともに前記スリットの深さ方向に切り込みを設けて弾性変形し得る係止板を配設し、前記ワッシャに前記係止板を弾性変形させて前記スリットに下方からネジ軸方向に挿入できるとともに挿入された状態では前記係止板により下方への移動が規制される係止用舌片を設け、前記ワッシャと前記ナットを前記ネジ軸回りに相対回転可能で前記ネジ軸方向に分離しないように連結して構成したことを特徴とするアンテナ取付装置。
【請求項２】
請求項１記載のアンテナ取付装置において、前記係止板を弾性を有する樹脂板で形成するとともに、前記係止用舌片の前記スリットへの挿入に際して弾性変形する弾性舌片を設けて構成したことを特徴とするアンテナ取付装置。
【発明の詳細な説明】
【０００１】
【発明の属する技術分野】
本発明は、車体のルーフ等にアンテナベースを取り付けるアンテナ取付装置に関するものである。
【０００２】
【従来の技術】
自動車用アンテナ装置を車体のルーフ等に取り付ける従来の構造は、ルーフ等に穿設した取付孔に自動車用アンテナ装置のアンテナベースから下方に突出する取付ネジを挿通し、ルーフ等から下方に突出した取付ネジに、下方から爪付きワッシャを嵌挿しさらにナットを螺合して、固定するものである。そこで、作業性を良くするために爪付きワッシャとナットをネジ軸回りに相対回転可能でしかもネジ軸方向に分離しないように連結することで、一体化されていた。さらに、作業性を向上する目的で、特許第２７５１１４６号にて、取付ネジに爪付きワッシャを介してナットを仮止めすることができ、この仮止め後は、作業者がナットから手を離しても取付ネジから脱落しないようにする技術も提案されている。この特許第２７５１１４６号にて提案された技術は、取付ネジにネジ軸方向にスリットを形成し、このスリットに圧入しまたは弾性変形して挿入し得る嵌合片を爪付きワッシャに設けたものである。この爪付きワッシャにナットが連結されている。
【０００３】
【発明が解決しようとする課題】
上記、特許第２７５１１４６号で提案された技術は、取付ネジに爪付きワッシャを介してナットを仮止めでき、作業性が向上する。しかしながら、取付ネジに設けるスリットや嵌合片の幅に、製造の際の寸法バラツキがあると、仮止めのための圧入ができなくなったり、仮止めによりナットを取付ネジに保持する弾力が弱くなって脱落する、などの可能性が考えられる。そこで、取付ネジのスリットや爪付きナットの嵌合片の幅は、寸法精度良く製造されなければならない。
【０００４】
本発明は、上述の従来技術の事情に鑑みれなされたもので、寸法精度を必要とせず、確実に取付ネジにワッシャを介してナットを仮止めすることのできるアンテナ取付装置を提供することを目的とする。
【０００５】
【課題を解決するための手段】
かかる目的を達成するために、本発明のアンテナ取付装置は、車体に穿設した取付孔に、アンテナベースから下方に突出する取付ネジを挿通し、下方から前記取付ネジにワッシャを嵌挿するとともにナットを螺合して、前記アンテナベースを前記車体に固定するアンテナ取付装置において、前記取付ネジに下端面よりネジ軸方向にスリットを設け、前記取付ネジの下端面に前記スリットを塞ぐとともに前記スリットの深さ方向に切り込みを設けて弾性変形し得る係止板を配設し、前記ワッシャに前記係止板を弾性変形させて前記スリットに下方からネジ軸方向に挿入できるとともに挿入された状態では前記係止板により下方への移動が規制される係止用舌片を設け、前記ワッシャと前記ナットを前記ネジ軸回りに相対回転可能で前記ネジ軸方向に分離しないように連結して構成されている。
【０００６】
また、前記係止板を弾性を有する樹脂板で形成するとともに、前記係止用舌片の前記スリットへの挿入に際して弾性変形する弾性舌片を設けて構成しても良い。
【０００７】
【発明の実施の形態】
以下、本発明の一実施例を図１ないし図７を参照して説明する。図１は、本発明のアンテナ取付装置の一実施例で、固定前の一部切り欠き縦断面図である。図２は、一実施例の固定された外観図である。図３は、アンテナベースを示し、（ａ）は縦断面図、（ｂ）は底面図である。図４は、係止板の平面図である。図５は、爪付きワッシャを示し、（ａ）は縦断面図、（ｂ）は底面図である。図６は、ナットを示し、（ａ）は縦断面図、（ｂ）底面図である。図７は、取付ネジに組み付け前の一部切り欠き拡大縦断面図である。
【０００８】
まず、図３に示すごとく、アンテナベース１０には下方に突出して取付ネジ１２が設けられる。そして、取付ネジ１２にその下端面よりネジ軸方向にスリット１４が設けられ、その下端面にカシメ用突起１６，１６が突設される。そして、取付ネジ１４の下端面に、カシメ用突起１６，１６に適宜にカシメられて、図４に示す係止板３２が固定される。この係止板３２は、弾性を有する樹脂板で形成され、スリット１４の一部を塞ぐとともにスリット１４の深さ方向に切り込み３８が設けられ、この切り込み３８の内側に突出させるようにして弾性舌片３４，３４が設けられる。これらの弾性舌片３４，３４，３４は、ネジ軸方向に弾性変形可能である。なお、係止板３２には、取付ネジ１４のカシメ用突起１６，１６が挿入されて適宜にカシメられて固定される、カシメ用孔３６，３６が穿設されている。また、図５に示すごとく、爪付きワッシャ１８には、スリット１４にネジ軸方向に下方から係止板３２の弾性舌片３４，３４，３４を弾性変形させて挿入でき、しかも挿入された状態では係止板３２に先端部が当接して下方への移動が規制されるように係止用舌片２０が設けられている。なお、従来技術と同様に、爪付きワッシャ１８には、車のルーフ４０等に食い込んで固定しまたは／および電気的接続を得るための爪２２，２２…が上方に向けて設けられ、さらに後述するナット２６をネジ軸回りに相対回転可能であるとともにネジ軸方向に分離しないように連結するための連結用突起２４，２４…が設けられている。さらに、図６に示すごとく、ナット２６は、取付ネジ１２に螺合できる雌ネジ２８が刻設されるとともに上面にリング状リブ３０が設けられている。そして、図７に示すごとく、爪付きワッシャ１８の連結用突起２４，２４…内にナット２６のリング状リブ３０を挿入して、適宜にこれを外側にカシメることで、爪付きワッシャ１８とナット２６が、ネジ軸回りに相対回転可能でしかもネジ軸方向に分離しないように連結されて一体化される。なお、係止板３２の弾性舌片３４，３４，３４は、爪付きワッシャ１８とナット２６の重量だけでは弾性変形しないように形成されていることは勿論である。
【０００９】
かかる構成における本発明のアンテナ取付装置の一実施例の取り付け作業につき説明する。まず、図７に示すごとく、車のルーフ４０等に穿設された取付孔に、アンテナベース１０の取付ネジ１２を挿通した状態で、図１に示すごとく、ナット２６と一体化された爪付きワッシャ１８の係止用舌片２０を、係止板３２の弾性舌片３４，３４，３４を弾性変形させて取付ネジ１２のスリット１４にネジ軸方向に下方から挿入し、さらに係止板３２上に係止用舌片２０の先端部を載置する。すると、係止板３２により、係止用舌片２０が下方への移動が規制される。そこで、爪付きワッシャ１８の下方への移動が規制され、爪付きワッシャ１８と一体的に連結されたナット２６も下方への移動が規制される。もって、係止板３２に係止用舌片２０を載置して、取付ネジ１０にナット２６を仮止めした後は、作業者が手を離してもナット２６は下方に脱落することがない。しかも、仮止め保持する力は、爪付きワッシャ１８とナット２６の重量によって、係止板３２の弾性舌片３４，３４，３４が弾性変形されないことによるものであり、寸法精度によって大きく影響されることもなく、寸法精度を必要としない分だけ、部品の製造が容易である。そして、ナット２６を取付ネジ１２に締め付けることで、図２のごとく、アンテナベース１０は、ルーフ４０に確実に固定される。同時に、爪付きワッシャ１８の爪２２，２２はルーフ４０の裏面に確実に食い込んだ状態となる。
【００１０】
なお、係止板３２は、上記実施例の形状に限られず、スリット１４の深さ方向の切り込み３８を設けることで、弾性変形によってネジ軸方向に下方よりスリット１４へ爪付きワッシャ１８の係止用舌片２０の挿入を許容し、これらが弾性復帰すれば、爪付きワッシャ１８とナット２６の重量だけでは弾性変形せずに下方への脱落を規制できるならば、いかなる形状であっても良い。また、爪付きワッシャ１８の係止用舌片２０の形状も、係止板３２の形状に応じて、適宜に変更されても良いことは勿論である。そして、上記実施例では、取付ネジ１２を爪付きワッシャ１８を介してルーフ４０に電気的接続させるために爪付きワッシャ１８を用いているが、電気的接続を必要としないならば、爪付きでなくワッシャを用いても良い。
【００１１】
【発明の効果】
以上説明したように本発明のアンテナ取付装置は構成されているので、以下のごとき格別な効果を奏する。
【００１２】
請求項１記載のアンテナ取付装置にあっては、取付ネジの下端面に設けた係止板を弾性変形させて、ネジ軸方向に下方からワッシャの係止用舌片を取付ネジのスリットに挿入させることで、ナットが取付ネジに簡単に仮止めされる。そして、ワッシャとナットの重量に対して係止板が弾性変形しないように形成することで、ナットの脱落を確実に阻止することができる。そこで、取付ネジのスリットやワッシャの係止用舌片に、寸法精度が要求されず、量産に好適である。しかも、係止板を弾性変形させてワッシャの係止用舌片を取付ネジのスリットに挿入するので、係止用舌片が係止板を通過してスリットに挿入されると、移動させるのに必要な力が大きく変化し、これを作業者が感じることで、仮止めされたことを容易かつ確実に判断できる。
【００１３】
請求項２記載のアンテナ取付装置にあっては、係止板に弾性舌片を設けたので、この弾性舌片の弾性変形によってワッシャの係止用舌片を容易に取付ネジのスリットへネジ軸方向に下方から挿入することができる。
【図面の簡単な説明】
【図１】本発明のアンテナ取付装置の一実施例で、固定前の一部切り欠き縦断面図である。
【図２】一実施例の固定された外観図である。
【図３】アンテナベースを示し、（ａ）は縦断面図、（ｂ）は底面図である。
【図４】係止板の平面図である。
【図５】爪付きワッシャを示し、（ａ）は縦断面図、（ｂ）は底面図である。
【図６】ナットを示し、（ａ）は縦断面図、（ｂ）底面図である。
【図７】取付ネジに組み付け前の一部切り欠き拡大縦断面図である。
【符号の説明】
１０  アンテナベース
１２  取付ネジ
１４  スリット
１６  カシメ用突起
１８  爪付きワッシャ
２０  係止用舌片
２２  爪
２４  連結用突起
２６  ナット
２８  雌ネジ
３０  リング状リブ
３２  係止板
３４  弾性舌片
３６  カシメ用孔
３８  切り込み
４０  ルーフ
【図１】
2004194000.tif 000003
【図２】
2004194000.tif 000004
【図３】
2004194000.tif 000005
【図４】
2004194000.tif 000006
【図５】
2004194000.tif 000007
【図６】
2004194000.tif 000008
【図７】
2004194000.tif 000009